(57)【要約】【課題】異物侵入を防ぎ且つ電子部品を効果的に冷却できる制御ボックスを提供する。【解決手段】制御ボックス５はミシンのテーブル３の下面３Ｂに固定する。制御ボックス５のベース６は回路基板１１，１２と放熱板２１，２２を鉛直方向に支持する。放熱板２１，２２は回路基板１１，１２上の発熱素子に接触して放熱する。第一カバー７と第二カバー８は回路基板１１，１２と放熱板２１，２２を覆って保護する。ベース６は互いに平行に並ぶ放熱板２１，２２の間に上下方向に貫通する煙突通路１０２を備える。放熱板２１，２２から放出する熱で煙突通路１０２内の空気が上昇すると、煙突効果で流速が増した空気は煙突通路１０２内を下方から上方に向けて流れる。煙突通路１０２に対して二枚の放熱板２１，２２が相対するので、制御ボックス５内の回路基板１１，１２の発熱素子を効果的に冷却できる。【選択図】図１４
2016158704.tif 000002
【特許請求の範囲】
【請求項１】
布同士を接合する接合装置を設置するテーブルの下面に配置し、前記接合装置の制御に使用する電子部品を収容する接合装置の制御ボックスにおいて、
鉛直方向に延び、前記電子部品のうちで発熱する素子である発熱素子に接触して該発熱素子を放熱する複数の放熱板と、
前記テーブルの前記下面に固定し、前記電子部品及び前記放熱板を支持するベースと、
前記ベースに固定し、前記電子部品及び前記放熱板を覆うカバーと
を備え、
前記ベースは、
前記複数の放熱板のうち互いに平行に並ぶ二枚の前記放熱板の間に上下方向に貫通し、空気を下方から上方に向けて流す煙突通路を備えた
ことを特徴とする制御ボックス。
【請求項２】
前記ベースは、
鉛直方向に延びる板状に形成し、二枚の前記放熱板を互いに平行になるように両面側に夫々支持する支持板部を備え、
前記支持板部は、
鉛直方向に延び、且つ前記支持板部に直交する方向の段差を形成する段差部と、
前記両面において、前記段差部の両側に夫々形成した凹部及び凸部と
を備え、
前記支持板部の前記両面の夫々において、
前記放熱板は前記凸部と接触し、
前記放熱板と前記凹部で囲む空間を前記煙突通路とした
ことを特徴とする請求項１に記載の制御ボックス。
【請求項３】
前記電子部品は前記発熱素子を備える基板であって、
前記支持板部は、
前記両面の夫々に支持する前記放熱板に対し前記凹部と反対側に前記基板を支持する
ことを特徴とする請求項２に記載の制御ボックス。
【請求項４】
前記ベースは、
前記テーブルの前記下面に固定し、且つ前記下面との間に隙間を介して前記支持板部を鉛直方向に支持する基台部を備えた
ことを特徴とする請求項２又は３に記載の制御ボックス。
【請求項５】
前記基台部は、
前記テーブルの前記下面に対して前記隙間を介して平行に配置し、前記支持板部を鉛直方向に支持する矩形板状の台座部と、
前記台座部の互いに対向する一方向における一対の端部に夫々設け、前記下面に固定する一対の脚部と
を備えた
を特徴とする請求項４に記載の制御ボックス。
【請求項６】
前記一対の脚部は、夫々、
平面視で前記台座部の前記一方向と直交する方向の両端部に設けた第一脚部と第二脚部を備え、
前記第一脚部と前記第二脚部の間に、空気を通過する為の空気用開口部を設けた
ことを特徴とする請求項５に記載の制御ボックス。
【請求項７】
前記第一脚部と前記第二脚部は、夫々、
前記テーブルの前記下面に沿って固定する板状の固定部と、
前記固定部の一端部から下方に屈曲し、前記台座部の前記端部と連結する板状の連結部と、
前記固定部と前記連結部の間に設けた補強リブと
を備えた
ことを特徴とする請求項６に記載の制御ボックス。
【請求項８】
前記煙突通路の上端側の上開口部は、テーパ状に拡がる
ことを特徴とする請求項２から７の何れか一つに記載の制御ボックス。
【請求項９】
前記煙突通路の下端側の下開口部は、テーパ状に拡がる
ことを特徴とする請求項２から８の何れか一つに記載の制御ボックス。
【請求項１０】
前記凹部の内側面に前記放熱板側に突出するリブを設けた
ことを特徴とする請求項２から９の何れか一つに記載の制御ボックス。
【請求項１１】
前記凹部の内側面の少なくとも一部に複数の凸状部を設けた
ことを特徴とする請求項２から９の何れか一つに記載の制御ボックス。
【請求項１２】
前記カバーは合成樹脂で形成した
ことを特徴とする請求項１から１１の何れか一つに記載の制御ボックス。
【発明の詳細な説明】
【技術分野】
【０００１】
本発明は、布同士を接合する接合装置の制御ボックスに関する。
【背景技術】
【０００２】
ミシンの制御ボックスはミシンテーブル下方に配置し、ミシン制御に使用する電気部品を筐体内に収容する。電気部品は、例えば主軸モータ駆動部、送りモータ駆動部、電源部、メイン制御部等を備える複数の基板等である。筐体は鉄板をプレスして箱状に形成し且つ塗装する。主軸モータ駆動部と送りモータ駆動は、パワートランジスタ（発熱素子）を搭載し駆動電流で発熱するので冷却する必要がある。それ故、ミシンは発熱素子を放熱板に固定し筐体内の内側面に固定して筐体を通じて冷却するか、若しくは基板上に大きな放熱フィンを設置しファンで送風して冷却する。特許文献１が開示するミシンの制御ボックスは、鉛直方向に延びる金属板状のフレーム部材を備え、電気部品の内で発熱作用のある発熱部品を、フレーム部材の両面に放熱可能な状態に取り付ける。
【先行技術文献】
【特許文献】
【０００３】
【特許文献１】特開２０００−３８８号公報
【発明の概要】
【発明が解決しようとする課題】
【０００４】
上記冷却構造を備えた制御ボックスは筐体容積が大きくなり、部品コストも高く、基板の固定方向が複雑になるので組立が面倒であった。ファンを備えた制御ボックスは筐体に通風孔を備えるが、糸屑、埃等の異物が筐体内に侵入しないよう目の細かいフィルタを通風孔に設ける必要があった。フィルタに異物が詰まった時、ファンによる冷却性能は低下する可能性があった。
【０００５】
本発明の目的は、異物侵入を防ぎ且つ電子部品を効果的に冷却できる制御ボックスを提供することにある。
【課題を解決するための手段】
【０００６】
本発明の請求項１に係る制御ボックスは、布同士を接合する接合装置を設置するテーブルの下面に配置し、前記接合装置の制御に使用する電子部品を収容する接合装置の制御ボックスにおいて、鉛直方向に延び、前記電子部品のうちで発熱する素子である発熱素子に接触して該発熱素子を放熱する複数の放熱板と、前記テーブルの前記下面に固定し、前記電子部品及び前記放熱板を支持するベースと、前記ベースに固定し、前記電子部品及び前記放熱板を覆うカバーとを備え、前記ベースは、前記複数の放熱板のうち互いに平行に並ぶ二枚の前記放熱板の間に上下方向に貫通し、空気を下方から上方に向けて流す煙突通路を備えたことを特徴とする。放熱板の熱で煙突通路内の空気が上昇すると、煙突効果で流速が増した空気が煙突通路を下方から上方に向けて流れる。該煙突通路に対して二枚の放熱板が相対するので、制御ボックス内の電子部品の発熱素子を効果的に冷却できる。煙突通路が上下方向に延びているので、煙突通路内に糸屑、埃等の異物が堆積しない。電子部品はカバーで覆うので、制御ボックスは電子部品に異物が付着するのを防止できる。
【０００７】
請求項２に係る発明の制御ボックスは、請求項１に記載の発明の構成に加え、前記ベースは、鉛直方向に延びる板状に形成し、二枚の前記放熱板を互いに平行になるように両面側に夫々支持する支持板部を備え、前記支持板部は、鉛直方向に延び、且つ前記支持板部に直交する方向の段差を形成する段差部と、前記両面において、前記段差部の両側に夫々形成した凹部及び凸部とを備え、前記支持板部の前記両面の夫々において、前記放熱板は前記凸部と接触し、前記放熱板と前記凹部で囲む空間を前記煙突通路としたことを特徴とする。ベースの支持板部に段差部を設け、その段差部の両側に形成した凹部と凸部のうち、凹部を放熱板で蓋をすることで、煙突通路を形成できる。放熱板の凹部に対向する領域は煙突通路で冷却し、凸部に接触する領域は凸部への熱伝導で、その反対側の面の凹部で冷却する。ベースと放熱板で煙突通路を形成するので、部品点数が増えない。よって、制御ボックスを小型化できる。
【０００８】
請求項３に係る発明の制御ボックスは、請求項２に記載の発明の構成に加え、前記電子部品は前記発熱素子を備える基板であって、前記支持板部は、前記両面の夫々に支持する前記放熱板に対し前記凹部と反対側に前記基板を支持することを特徴とする。煙突通路に対して基板を隔離できる。それ故、煙突通路に侵入した糸屑、埃等の異物が基板に付着するのを防止できる。
【０００９】
請求項４に係る発明の制御ボックスは、請求項２又は３に記載の発明の構成に加え、前記ベースは、前記テーブルの前記下面に固定し、且つ前記下面との間に隙間を介して前記支持板部を鉛直方向に支持する基台部を備えたことを特徴とする。支持板部とテーブルの下面との間に隙間を形成することによって、煙突通路を流れた空気の排出性能を向上できる。
【００１０】
請求項５に係る発明の制御ボックスは、請求項４に記載の発明の構成に加え、前記基台部は、前記テーブルの前記下面に対して前記隙間を介して平行に配置し、前記支持板部を鉛直方向に支持する矩形板状の台座部と、前記台座部の互いに対向する一方向における一対の端部に夫々設け、前記下面に固定する一対の脚部とを備えたことを特徴とする。それ故、制御ボックスは支持板部とテーブルの下面との間に隙間を形成でき、煙突通路を流れた空気を逃がすことができる。
【００１１】
請求項６に係る発明の制御ボックスは、請求項５に記載の発明の構成に加え、前記一対の脚部は、夫々、平面視で前記台座部の前記一方向と直交する方向の両端部に設けた第一脚部と第二脚部を備え、前記第一脚部と前記第二脚部の間に、空気を通過する為の空気用開口部を設けたことを特徴とする。脚部は第一脚部と第二脚部に分割し、その間に空気用開口部を設ける。それ故、制御ボックスは煙突通路を上方に流れた空気を、空気用開口からも外側に逃がすことができる。
【００１２】
請求項７に係る発明の制御ボックスは、請求項６に記載の発明の構成に加え、前記第一脚部と前記第二脚部は、夫々、前記テーブルの前記下面に沿って固定する板状の固定部と、前記固定部の一端部から下方に屈曲し、前記台座部の前記端部と連結する板状の連結部と、前記固定部と前記連結部の間に設けた補強リブとを備えたことを特徴とする。制御ボックスは第一脚部と第二脚部において、固定部と連結部の間に補強リブを設けることで強度を向上できる。
【００１３】
請求項８に係る発明の制御ボックスは、請求項２から７の何れか一つに記載の発明の構成に加え、前記煙突通路の上端側の上開口部は、テーパ状に拡がることを特徴とする。煙突通路の上開口部はテーパ状に拡がる。それ故、制御ボックスは上開口部から排出する空気の流れを滑らかにできる。
【００１４】
請求項９に係る発明の制御ボックスは、請求項２から８の何れか一つに記載の発明の構成に加え、前記煙突通路の下端側の下開口部は、テーパ状に拡がることを特徴とする。煙突通路の下開口部がテーパ状に拡がる。それ故、制御ボックスは下開口部において空気を滑らかに取り込むことができる。
【００１５】
請求項１０に係る発明の制御ボックスは、請求項２から９の何れか一つに記載の発明の構成に加え、前記凹部の内側面に前記放熱板側に突出するリブを設けたことを特徴とする。凹部の内側面にリブを設けることで、制御ボックスは煙突通路内の流速分布を調整できる。例えば、発熱素子の場所に応じてリブの配置を変えることで、発熱素子に対応する部分の放熱効果を高めることができる。
【００１６】
請求項１１に係る発明の制御ボックスは、請求項２から９の何れか一つに記載の発明の構成に加え、前記凹部の内側面の少なくとも一部に複数の凸状部を設けたことを特徴とする。それ故、制御ボックスは凹部の内側面の放熱面積を増加できるので、煙突通路における放熱効果を向上できる。
【００１７】
請求項１２に係る発明の制御ボックスは、請求項１から１１の何れか一つに記載の発明の構成に加え、前記カバーは合成樹脂で形成したことを特徴とする。カバーは合成樹脂であるので、金属に比べて伝熱性能が低い。それ故、制御ボックスはユーザの手が触れ易いカバー表面の温度上昇を抑えることができる。制御ボックスは安価な合成樹脂製のカバーを用いることで、部品コストを抑えることができる。
【図面の簡単な説明】
【００１８】
【図１】ミシン１の斜視図。
【図２】ミシン１を下方から見上げた斜視図。
【図３】制御ボックス５の背面側の斜視図。
【図４】制御ボックス５の背面側を下方から見上げた斜視図。
【図５】回路基板１１と放熱板２１を取り付けたベース６の背面側の斜視図。
【図６】回路基板１１と放熱板２１を取り付けたベース６の背面図。
【図７】回路基板１２と放熱板２２を取り付けたベース６の前面側の斜視図。
【図８】ベース６の背面側の斜視図。
【図９】ベース６の前面側の斜視図。
【図１０】放熱板２１を取り付けたベース６の背面側の斜視図。
【図１１】放熱板２２を取り付けたベース６の背面側の斜視図。
【図１２】図６に示すＩＩ−ＩＩ線矢視方向断面図。
【図１３】図６に示すＩＩＩ−ＩＩＩ線矢視方向断面図。
【図１４】図１に示すＩ−Ｉ線矢視方向断面図。
【図１５】変形例であるベース６０１の斜視図。
【図１６】変形例であるベース６０２の斜視図。
【図１７】変形例であるベース６０３の背面図。
【発明を実施するための形態】
【００１９】
図面を参照し、本発明の実施形態を説明する。以下説明は図中に矢印で示す上下、左右、前後を使用する。
【００２０】
図１、図２を参照し、ミシン１の全体構造を説明する。ミシン１は、ミシン本体２、テーブル３、制御ボックス５、電源スイッチ（図示略）等を備える。ミシン本体２はテーブル３の上面３Ａに設置する。制御ボックス５はテーブル３の下面３Ｂで且つ後端部３１１側に寄せて四本の螺子（図示略）で固定する。制御ボックス５は回路基板１１，１２（図５，図７参照）等の電子部品を格納する。
【００２１】
回路基板１１，１２は、例えば主軸モータ駆動部、送りモータ駆動部、電源部、メイン制御部等の回路部を備える。主軸モータ駆動部はミシン本体２の主軸モータ（図示略）を駆動する。主軸モータはミシン本体２の主軸（図示略）を駆動する。主軸はミシン本体２の針棒（図示略）を上下動する駆動力を伝達する。送りモータ駆動部はミシン本体２の送りモータを駆動する。送りモータはミシン本体２の送り機構を駆動する。電源部はミシン本体２に電源を供給する。メイン制御部はミシン本体２の動作を制御する。主軸駆動部と送りモータ駆動部は、後述する発熱素子２１１，２２２〜２２４（図１０，図１１参照：但し、図１０，図１１では放熱板２１，２２に接触する発熱素子２１１，２２２〜２２４のみを図示。回路基板１１，１２は省略。）を備える。発熱素子２１１，２２２〜２２４は駆動電流で発熱する発熱素子であるので冷却する必要がある。本実施形態の制御ボックス５は内部に後述する煙突通路１０１，１０２を備えるので、後述する放熱板２１，２２を介して、発熱素子２１１，２２２〜２２４等を効果的に冷却できる。
【００２２】
図３〜図７を参照し、制御ボックス５の全体構造を説明する。図３，図４に示す如く、制御ボックス５は略直方体状の筐体であり、ベース６、第一カバー７、第二カバー８を備える。ベース６は、二枚の回路基板１１，１２（図５，図７参照）を前側と後側に鉛直方向に夫々支持する断面Ｔ字状の金属製骨組みである。第一カバー７と第二カバー８は、ベース６の背面側と前面側に夫々着脱可能に取り付ける。それ故、制御ボックス５は上面、下面、右側面、左側面にてベース６を露出する。制御ボックス５は平面視矩形状の上面四隅に後述する四本の脚部３２〜３５（図３参照）を備える。脚部３２〜３５はテーブル３の下面３Ｂに螺子（図示略）で夫々固定する。それ故、制御ボックス５は下面３Ｂに固定する。
【００２３】
図５，図６に示す如く、制御ボックス５の背面側から第一カバー７を取り外すと、回路基板１１が露出する。ベース６は背面側に回路基板１１を鉛直方向に支持する。回路基板１１のうち第一カバー７に対向する面は表面、その反対側は裏面である。ベース６は回路基板１１の裏面側に金属製の放熱板２１を鉛直方向に支持する。放熱板２１の回路基板１１の裏面に対向する面は表面、その反対側は裏面である。放熱板２１の表面は回路基板１１の裏面側に接触する六個の発熱素子２１１（図１０参照）と接触する。発熱素子２１１が発生した熱は放熱板２１に伝達する。放熱板２１は伝達した熱を空気中に放出する。
【００２４】
図７に示す如く、制御ボックス５の前面側から第二カバー８を取り外すと、回路基板１２が露出する。ベース６は前面側に回路基板１２を鉛直方向に支持する。回路基板１２のうち第二カバー８に対向する面は表面、その反対側は裏面である。ベース６は回路基板１２の裏面側に金属製の放熱板２２を鉛直方向に支持する。放熱板２２の回路基板１２の裏面に対向する面は表面、その反対側は裏面である。放熱板２２の表面は回路基板１２の裏面側に取り付けた発熱素子２２２〜２２４（図１１参照）と接触する。発熱素子２２２〜２２４が発生した熱は放熱板２２に伝達する。放熱板２２は伝達した熱を空気中に放出する。
【００２５】
第一カバー７と第二カバー８はベース６が支持する回路基板１１，１２を覆う。それ故、制御ボックス５は回路基板１１，１２を外部衝撃から保護し且つ糸屑、埃等の異物が回路基板１１，１２に付着するのを防止する。ベース６は鉛直方向に支持する二枚の放熱板２１，２２の間に、後述する煙突通路１０１，１０２（図１２，図１３参照）を形成する。煙突通路１０１，１０２は制御ボックス５内を上下方向に延びる。制御ボックス５は下面に下開口部１０１Ａ，１０２Ａ（図４参照）を備え、上面に上開口部１０１Ｂ，１０２Ｂ（図３参照）を備える。下開口部１０１Ａと上開口部１０１Ｂは、煙突通路１０１の入口と出口である。下開口部１０２Ａと上開口部１０２Ｂは、煙突通路１０２の入口と出口である。空気は煙突通路１０１，１０２の下方から上方に流れる（図１４参照）。それ故、制御ボックス５は、煙突通路１０１，１０２に対向する放熱板２１，２２を介して、回路基板１１，１２に取り付けた発熱素子２１１，２２２〜２２４を効果的に冷却できる。
【００２６】
図８，図９を参照し、ベース６の構造を具体的に説明する。ベース６は上記の如く、断面Ｔ字形状の金属製骨組みであり、例えばアルミダイカスト等で一体形成する。ベース６は基台部３０と支持板部４０を備える。基台部３０はベース６上部にて略水平に延びる部位であり、支持板部４０は基台部３０下面から鉛直方向に延びる部位である。
【００２７】
基台部３０の構造を説明する。基台部３０は、台座部３１と四本の脚部３２〜３５を備える。台座部３１は平面視左右方向に長い矩形状の板部である。台座部３１は上開口部１０１Ｂ，１０２Ｂを左右方向に並んで備える。上開口部１０１Ｂは台座部３１の左側、上開口部１０２Ｂは台座部３１の右側に配置し、何れも矩形状に開口する。上開口部１０１Ｂ，１０２Ｂは前後両縁部に断面略Ｖ字状のテーパ部３６１，３６２（図１２，図１３参照）を夫々備える。テーパ部３６１，３６２は下方から上方に向かうに従って略Ｖ字状に前後方向に拡がる。
【００２８】
脚部３２〜３５は台座部３１の上面四隅に夫々設ける。脚部３２は台座部３１の左後方角部、脚部３３は台座部３１の左前方角部、脚部３４は台座部３１の右後方角部、脚部３５は台座部３１の右前方角部に設ける。ベース６は脚部３２と脚部３３の間に空気用開口部３７を形成し、脚部３４と脚部３５の間に空気用開口部３８を形成する。
【００２９】
脚部３２は、固定部３２１、連結部３２２、補強リブ３２３、螺子用溝３２４を備える。固定部３２１は平面視略矩形状の板部であり、テーブル３の下面３Ｂに沿って延びる。連結部３２２は台座部３１の左後方角部から板状に上方に延出し、固定部３２１の右端部と直交して連結する。それ故、固定部３２１は連結部３２２の上端部から左方に延びる。補強リブ３２３は空気用開口部３７側である固定部３２１の前端部と連結部３２２の前端部との間に設けた略三角形状のリブであり、脚部３２を補強する。螺子用溝３２４は固定部３２１の後端部の左右方向中央部から前方に向けて凹む溝であり、螺子の軸部が挿入可能な程度の幅を有する。それ故、作業者は螺子用溝３２４を介して螺子をテーブル３の下面３Ｂに締結することで、固定部３２１を下面３Ｂに固定できる。
【００３０】
尚、詳述しないが、脚部３３〜３５は脚部３２と同様の構造を備える。脚部３３は、固定部３３１、連結部３３２、補強リブ３３３、螺子用溝３３４等を備える。脚部３４は、固定部３４１、連結部３４２、補強リブ３４３、螺子用溝３４４等を備える。脚部３５は、固定部３５１、連結部３５２、補強リブ３５３、螺子用溝３５４等を備える。故に、ベース６は、基台部３０の台座部３１とテーブル３の下面３Ｂとの間に隙間を形成する。
【００３１】
支持板部４０の構造を説明する。支持板部４０は、台座部３１の下面の前後方向略中央部から鉛直方向に延びる正面視略長方形状の板部である。支持板部４０は、段差部４１、左側部４２、右側部４３を備える。段差部４１は支持板部４０の左右方向中央部に沿って上下方向に延びるように形成し、支持板部４０の前後両面に直交する方向の段差を有する。段差部４１の左側部位は左側部４２、段差部４１の右側部位は右側部４３を形成する。左側部４２と右側部４３は段差部４１を中央に挟んで前後方向に互い違いに配置する。即ち、支持板部４０は背面側と前面側に段差部４１を境とする凹凸面を夫々形成する。
【００３２】
−支持板部４０の背面側の構造−
図８に示す如く、支持板部４０の背面側では、段差部４１を境に、左側部４２は右側部４３よりも後方に一段高い。それ故、段差部４１の段差面５３を境にして相対的に、左側部４２は凸部５１、右側部４３は凹部５２となる。支持板部４０は外周に沿って後方に立設する側壁４５を備える。側壁４５は、支持板部４０の左端部に沿って設けた左側壁４５１、右端部に沿って設けた右側壁４５２、下端部に沿って設けた下側壁４５３を備える。下側壁４５３は凹部５２に対応する部分に開口部４５３Ａを備える。凹部５２は下端部にテーパ部５２１を備える。テーパ部５２１は前下方に向かって傾斜するテーパ状である。他方、凸部５１は下端部にテーパ部５１１を備える。テーパ部５１１は後下方に向かって傾斜するテーパ状である。
【００３３】
凹部５２は後方に突出する固定用リブ４６を備える。固定用リブ４６は、開口部４５３Ａの右側の開口端と台座部３１の下面とを略鉛直方向に結ぶように立設する。固定用リブ４６は後端部の下側に固定孔４６１、上側に固定孔４６２を備える。固定孔４６１、４６２は、放熱板２１（図１０参照）と回路基板１１（図５参照）を支持部材７３（図１０参照）を介して支持板部４０の背面側に螺子８１（図５参照）で締めて固定する為の螺子孔である。凹部５２、凸部５１は固定用リブ４６の左側の各箇所に大小複数の孔部６１，６２を備える。孔部６１、６２は支持板部４０を前後方向に貫通する。凸部５１は左端側の上下二箇所に略円筒状の支持部材７１（図８では下側の支持部材７１のみ図示）を夫々備える。支持部材７１は夫々、凸部５１から後方に突出する。ベース６は支持板部４０の背面側にて、左側壁４５１と台座部３１が成す角部、左側壁４５１と下側壁４５３が成す角部、右側壁４５２と台座部３１が成す角部、右側壁４５２と下側壁４５３が成す角部に、夫々、第一カバー用孔部５７を設ける。四つの第一カバー用孔部５７は、第一カバー７を支持板部４０の背面側に螺子７１２（図３，図５参照）で締めて固定する為の螺子孔である。
【００３４】
−支持板部４０の前面側の構造−
図９に示す如く、支持板部４０の前面側では、段差部４１を境に、左側部４２は右側部４３よりも後方に一段低い。それ故、段差部４１の段差面５６を境にして相対的に、左側部４２は凹部５４、右側部４３は凸部５５となる。支持板部４０は外周に沿って前方に立設する側壁４７を備える。側壁４７は、支持板部４０の左端部に沿って設けた左側壁４７１、右端部に沿って設けた右側壁４７２、下端部に沿って設けた下側壁４７３を備える。下側壁４７３は凹部５４に対応する部分に開口部４７３Ａを備える。凹部５４は下端部にテーパ部５４１を備える。テーパ部５４１は後下方に向かって傾斜するテーパ状である。テーパ部５４１の反対側はテーパ部５１１（図８参照）であり、互いに同一部位である。他方、凸部５５は下端部にテーパ部５５１を備える。テーパ部５５１は前下方に向かって傾斜するテーパ状である。テーパ部５５１の反対側はテーパ部５２１（図８参照）であり、互いに同一部位である。
【００３５】
凹部５４は前方に突出する固定用リブ４８を備える。固定用リブ４８は、開口部４７３Ａの左側の開口端と台座部３１の下面とを略鉛直方向に結ぶように立設する。固定用リブ４８は前端部の上下二箇所に固定孔４８１（一つのみ図示）を備える。固定孔４８１は、放熱板２２（図１１参照）と回路基板１２（図７参照）を支持部材７５（図７参照）を介して支持板部４０の前面側に螺子８５（図７参照）で締めて固定する為の螺子孔である。凹部５４は固定用リブ４８の右側の各箇所に、凸部５１（図８参照）側から貫通する上述の大小複数の孔部６１，６２を備える。更に、凸部５５も各箇所に、凹部５２（図８参照）側から貫通する上述の大小複数の孔部６１，６２を備える。凸部５５は右端側の上下方向に並ぶ三箇所に略円筒状の支持部材７２を夫々備える。支持部材７２は夫々、凸部５５から前方に突出する。ベース６は支持板部４０の前面側にて、左側壁４７１と台座部３１が成す角部、左側壁４７１と下側壁４７３が成す角部、右側壁４７２と台座部３１が成す角部、右側壁４７２と下側壁４７３が成す角部に、夫々、第二カバー用孔部５８を設ける。四つの第二カバー用孔部５８は、第二カバー８を支持板部４０の前面側に螺子７１２（図７参照）で締めて固定する為の螺子孔である。
【００３６】
図１０，図１１を参照し、放熱板２１，２２の形状、及び放熱板２１，２２の支持板部４０への取付構造を説明する。放熱板２１，２２は金属板である。図１０に示す如く、放熱板２１は支持板部４０の背面側にて、図８に示す凹部５２を後方から塞ぎ、且つ凸部５１の面に螺子で固定する。放熱板２１の右端部（放熱板２１の表面に向かって左端部）は固定用リブ４６（図８参照）の後端部に合わせる。放熱板２１は支持板部４０に設けた固定孔４６１，４６２と、孔部６２のうち支持部材７３，７４の貫通孔に対応する位置とに、複数の貫通穴（図示略）を有する。支持部材７３，７４は放熱板２１に設けた複数の貫通孔を介して、支持板部４０の背面側に設けた固定孔４６１，４６２，及び対応する孔部６２に夫々螺子８１で締結する。放熱板２１は複数の発熱素子用固定孔（図示略）を備える。発熱素子用固定孔は、回路基板１１の裏面側に接触する六個の発熱素子２１１を放熱板２１の表面に密着して固定する為の螺子孔である。
【００３７】
図１１に示す如く、放熱板２２は支持板部４０の前面側にて、図９に示す凹部５４を前方から塞ぎ、且つ凸部５５の面に螺子で固定する。放熱板２２の左端部は固定用リブ４８（図９参照）の前端部に合わせる。放熱板２２は支持板部４０に設けた固定孔４８１と、孔部６２のうち支持部材７５，７６の貫通孔に対応する位置とに、複数の貫通穴（図示略）を有する。支持部材７５，７６は放熱板２２に設けた複数の貫通孔を介して、支持板部４０の前面側に設けた二つの固定孔４８１及び対応する孔部６２に夫々螺子８５で締結する。放熱板２２も複数の発熱素子用固定孔（図示略）を備える。発熱素子用固定孔は、回路基板１２の前面側に接触する発熱素子２２２〜２２４を放熱板２２の表面に密着して固定する為の螺子孔である。
【００３８】
図５，図７を参照し、回路基板１１，１２の形状と、回路基板１１，１２の支持板部４０への取付構造を説明する。図５に示す如く、回路基板１１は表面に回路部１１１〜１１３を備える。回路部１１１〜１１３は、上記の通り、主軸モータ駆動部、送りモータ駆動部、電源部、メイン制御部等である。回路基板１１は裏面側に六個の発熱素子２１１（図１０参照）を取り付ける。支持板部４０の背面側にて、回路基板１１の裏面側は、先に取り付けた放熱板２１の表面に対向し、支持部材７１，７３，７４（図１０参照）の夫々の先端部に位置を合わせる。回路基板１１は、支持部材７１，７３，７４に夫々対向する位置に固定孔（図示略）を備える。螺子８１は回路基板１１の該固定孔を介して支持部材７１，７３，７４に挿通し、固定孔４６１，４６２と、孔部６２に対して夫々締結する（図５，図６参照）。それ故、回路基板１１は支持板部４０の背面側にて、放熱板２１を挟んで鉛直方向に取り付ける。回路基板１１の裏面は、放熱板２１の表面に対して隙間を空けて対向する。
【００３９】
回路基板１１は、裏面側に取り付けた六個の発熱素子２１１に夫々対向する位置に複数の発熱素子用貫通孔６６を備える。複数の発熱素子用貫通孔６６の位置は、放熱板２１に設けた複数の発熱素子用固定孔（図示略）の位置に対応する。螺子８３は発熱素子用貫通孔６６から、発熱素子２１１に設けた固定孔（図示略）と放熱板２１に設けた発熱素子用固定孔に挿入し、工具（図示略）で締結する（図１０参照）。螺子８３の締結で六個の発熱素子２１１は放熱板２１の表面と密着する。それ故、発熱素子２１１で発生した熱は放熱板２１に伝導する。
【００４０】
図７に示す如く、回路基板１２は表面に回路部１２１〜１２３等を備える。回路部１２１〜１２３は、例えば主軸モータ駆動部、送りモータ駆動部、電源部、メイン制御部等の何れかである。回路基板１２は裏面側に三個の発熱素子２２２〜２２４を備える。支持板部４０の前面側にて、回路基板１２の裏面側は、先に取り付けた放熱板２２の表面に対向し、支持部材７２，７５，７６（図１１参照）の夫々の先端部に位置を合わせる。回路基板１２は、支持部材７２，７５，７６に夫々対向する位置に固定孔（図示略）を備える。螺子８５は回路基板１２の固定孔を介して支持部材７２，７５，７６に挿通し、固定孔４８１と、孔部６２に対して夫々締結する（図７参照）。それ故、回路基板１２は支持板部４０の前面側にて、放熱板２２を挟んで鉛直方向に取り付ける。回路基板１２の裏面は、放熱板２２の表面に対して隙間を空けて対向する。
【００４１】
回路基板１２は、裏面側に取り付けた発熱素子２２２〜２２４に夫々対向する位置に複数の発熱素子用貫通孔６７を備える。複数の発熱素子用貫通孔６７の位置は、放熱板２２に設けた複数の発熱素子用固定孔（図示略）の位置に対応する。螺子８４は発熱素子用貫通孔６７から、発熱素子２２２〜２２４に夫々設けた固定孔（図示略）と放熱板２２に設けた発熱素子用固定孔に挿入し、工具（図示略）で締結する（図１１参照）。螺子８４の締結で発熱素子２２２〜２２４は放熱板２２の表面と密着する。それ故、発熱素子２２２〜２２４で発生した熱は放熱板２２に伝導する。
【００４２】
図３，図４を参照し、第一カバー７と第二カバー８の構造を説明する。第一カバー７は、背面視略矩形状のカバーである。第一カバー７は四つの角部に固定孔（図示略）を備え、ベース６の支持板部４０の背面側を覆うようにして螺子７１２を締めて固定する。第一カバー７は底面の右側で且つ下開口部１０２Ａに相対する位置に、底面視略矩形状のガイド凹部７１１を備える。ガイド凹部７１１は上方に凹状に窪んで形成し、第一カバー７の背面下部にまで設ける。それ故、制御ボックス５周囲の空気の一部は、ガイド凹部７１１に沿って下開口部１０２Ａに滑らかに流入できる。第二カバー８も同様に正面視略矩形状のカバーである。第二カバー８も四つの角部に固定孔（図示略）を備え、ベース６の支持板部４０の前面側を覆うようにして螺子７１２（図１１参照）を締めて固定する。第二カバー８は底面の左側で且つ下開口部１０１Ａに相対する位置に、底面視略矩形状のガイド凹部８１１（図４参照）を備える。ガイド凹部８１１もガイド凹部７１１と同様に上方に窪んで形成し、第二カバー８の前面下部にまで設ける。それ故、制御ボックス５の周囲の空気の一部はガイド凹部８１１に沿って、下開口部１０１Ａに滑らかに流入できる。
【００４３】
第一カバー７と第二カバー８は難燃性の合成樹脂であるので、金属に比べて伝熱性能が低い。それ故、使用者の手が触れ易い第一カバー７と第二カバー８の夫々の表面の温度上昇を抑制できる。更に第一カバー７と第二カバー８を合成樹脂で作製することで、部品にかかる費用を低減できる。
【００４４】
図１０〜図１４を参照し、煙突通路１０１，１０２の構造を説明する。図１０，図１２に示す如く、煙突通路１０２は、支持板部４０の背面側にて、凹部５２と放熱板２１の間に形成し且つ上下方向に延びる通路である。煙突通路１０２は下端部に下開口部１０２Ａを備える。下開口部１０２Ａは、凹部５２の下端部と放熱板２１の下端部の間に形成する開口である。下開口部１０２Ａはテーパ部５２１で前方に緩やかに拡がる形状を有する。煙突通路１０２の上端部は台座部３１の上開口部１０２Ｂと連通する。
【００４５】
他方、図１１，図１３に示す如く、煙突通路１０１は、支持板部４０の前面側にて、凹部５４と放熱板２２の間に形成し且つ上下方向に延びる通路である。煙突通路１０１は下端部に下開口部１０１Ａを備える。下開口部１０１Ａは、凹部５４の下端部と放熱板２２の下端部の間に形成する開口である。下開口部１０１Ａはテーパ部５４１で後方に緩やかに拡がる形状を有する。煙突通路１０１の上端部は台座部３１の上開口部１０１Ｂと連通する。
【００４６】
上記構造により、煙突通路１０１，１０２は、互いに平行且つ鉛直方向に並ぶ二枚の放熱板２１，２２の間に上下方向に貫通し、空気を下方から上方に向けて流す。尚、煙突通路１０１，１０２の断面積は大きいほうがよい。煙突通路１０１，１０２の奥行長さ（支持板部４０の厚み方向の長さ）は例えば１８ｍｍ、３０ｍｍ等である。
【００４７】
図１２〜図１４を参照し、煙突通路１０１，１０２による放熱板２１，２２の冷却効果を説明する。図１２に示す如く、支持板部４０の背面側にて、放熱板２１における凹部５２と対向する部分は煙突通路１０２を流れる空気で冷却する。放熱板２１における凸部５１の面と接触する部分は凸部５１の熱伝導で冷却する。該凸部５１の反対側は凹部５４である。凹部５４は煙突通路１０１を流れる空気で冷却する。他方、図１３に示す如く、支持板部４０の前面側にて、放熱板２２における凹部５４と対向する部分は煙突通路１０１を流れる空気で冷却する。放熱板２２における凸部５５の面と接触する部分は凸部５５の熱伝導で冷却する。該凸部５５の反対側は凹部５２である。上記の通り、凹部５２は煙突通路１０２を流れる空気で冷却する。
【００４８】
図１４に示す如く、例えば煙突通路１０２内の空気は、放熱板２１から放出する熱と、放熱板２２から支持板部４０の凹部５２を介して放出する熱で温まる。高温の空気は低温の空気より密度が低いので上方へ移動する。それ故、下開口部１０２Ａから新しい空気が流入する。煙突通路１０２を上方へ流れる空気は上開口部１０２Ｂを介して、台座部３１とテーブル３の下面３Ｂの間の隙間に流れる。それ故、空気は煙突通路１０２内を下方から上方に向けて滑らかに流れる。煙突通路１０２を流れる空気は、二枚の互いに相対する放熱板２１，２２を冷却することで、回路基板１１，１２の発熱素子２１１、２２２〜２２４を効果的に冷却できる。尚、詳述しないが、煙突通路１０１においても同様の冷却効果を得ることができる。
【００４９】
制御ボックス５は台座部３１とテーブル３の下面３Ｂとの間に所定隙間（例えば３０ｍｍ）を設ける。それ故、煙突通路１０１，１０２内の空気は留まることなく、上開口部１０１Ｂ，１０２Ｂから流出するので、煙突通路１０１，１０２内の空気の流速を速めることができる。煙突通路１０１，１０２内の空気の流速を速めることで、下開口部１０１Ａ，１０２Ａから流入する空気量を増やすことができる。故に、制御ボックス５は煙突通路１０１，１０２の冷却効果を高めることができる。
【００５０】
上開口部１０１Ｂでは、空気は一対のテーパ部３６１（図１３参照）に沿って前後方向に拡散して流れる。上開口部１０２Ｂでは、空気は一対のテーパ部３６２（図１２，図１４参照）に沿って前後方向に拡散して流れる。それ故、台座部３１と下面３Ｂとの間に空気が淀むことが無い。更に、脚部３２と脚部３３の間には空気用開口部３７を、脚部３４と脚部３５の間には空気用開口部３８を夫々設けるので、制御ボックス５は台座部３１と下面３Ｂとの間に流れた空気を、空気用開口部３７，３８からも外側に逃がすことができる。更に、上開口部１０１Ｂ，１０２Ｂはテーブル３の後端部３１１に近いので、上開口部１０１Ｂ，１０２Ｂから後方に流れる空気は後端部３１１に速やかに到達し、該後端部３１１に沿ってそのまま上方に抜けることができる。それ故、煙突通路１０１，１０２内を流れる空気の排出性能を向上できる。
【００５１】
以上説明の如く、本実施形態の制御ボックス５は、ミシン１のテーブル３の下面３Ｂに配置し、ミシン本体２の制御に使用する回路基板１１，１２を収容する。制御ボックス５はベース６、第一カバー７、第二カバー８を備える。ベース６はテーブル３の下面３Ｂに固定し、回路基板１１，１２及び放熱板２１，２２を支持する。放熱板２１，２２は鉛直方向に延び、回路基板１１，１２のうちで発熱する発熱素子２１１，２２２〜２２４に接触して放熱する。第一カバー７と第二カバー８はベース６に複数の螺子７１２で固定し、回路基板１１，１２と放熱板２１，２２を覆う。ベース６は、互いに平行に並ぶ二枚の放熱板２１，２２の間に上下方向に貫通する煙突通路１０１，１０２を備える。煙突通路１０１，１０２は空気を下方から上方に向けて流す。放熱板２１，２２から放出する熱で煙突通路１０１，１０２内の空気が上昇すると、煙突効果で流速が増した空気が煙突通路１０１，１０２を下方から上方に向けて流れる。煙突通路１０１，１０２に対して二枚の放熱板２１，２２が相対するので、制御ボックス５内の回路基板１１，１２の発熱素子２１１，２２２〜２２４を効果的に冷却できる。煙突通路１０１，１０２が上下方向に延びているので、煙突通路１０１，１０２内に糸屑、埃等の異物が堆積しない。回路基板１１，１２は第一カバー７と第二カバー８で覆うので、制御ボックス５は回路部１１１〜１１３と回路部１２１〜１２３に異物が付着するのを防止できる。
【００５２】
上記実施形態では更に、ベース６は支持板部４０を備える。支持板部４０は鉛直方向に延びる板状に形成し、二枚の放熱板２１，２２を互いに平行になるように両面側に夫々支持する。支持板部４０は段差部４１、左側部４２、右側部４３を備える。段差部４１は支持板部４０の左右方向略中央において鉛直方向に延び、且つ支持板部４０に直交する方向の段差を形成する。左側部４２は段差部４１の左側を形成し、右側部４３は段差部４１の右側を形成する。支持板部４０の背面側にて、左側部４２は凸部５１、右側部４３は凹部５２となる。他方、支持板部４０の前面側にて、左側部４２は凹部５４、右側部４３は凸部５５となる。支持板部４０の背面側では、放熱板２１と凸部５１を接触し、放熱板２１と凹部５２で囲む空間を煙突通路１０２とする。支持板部４０の前面側では、放熱板２２と凸部５５を接触し、放熱板２２と凹部５４で囲む空間を煙突通路１０１とする。即ち、制御ボックス５は、凹部５２，５４を放熱板２１，２２で塞ぐことで、煙突通路１０１，１０２を簡単に形成できる。放熱板２１，２２の凹部５２，５４に対向する部分は煙突通路１０１，１０２で冷却し、凸部５１，５５に接触する部分は凸部５１，５５への熱伝導で、その反対側の面の凹部５４，５２で冷却する。ベース６と放熱板２１，２２で煙突通路１０１，１０２を形成するので、部品点数が増えない。故に、制御ボックス５は小型化できる。
【００５３】
上記実施形態では更に、支持板部４０は、背面側に支持する放熱板２１に対し、凹部５２と反対側に回路基板１１を支持する。他方、前面側に支持する放熱板２２に対し、凹部５４と反対側に回路基板１２を支持する。それ故、制御ボックス５は煙突通路１０１，１０２に対して回路基板１１，１２を隔離できる。それ故、制御ボックス５は煙突通路１０１，１０２に侵入した糸屑、埃等の異物が回路基板１１，１２に付着するのを防止できる。
【００５４】
上記実施形態では更に、ベース６は基台部３０を備える。基台部３０は、テーブル３の下面３Ｂに固定し、且つ下面３Ｂとの間に隙間を介して支持板部４０を鉛直方向に支持する。支持板部４０とテーブル３の下面３Ｂとの間に隙間を形成することで、制御ボックス５は煙突通路１０１，１０２を流れた空気の排出性能を向上できる。
【００５５】
上記実施形態では更に、基台部３０は、台座部３１と四本の脚部３２〜３５を備える。台座部３１はテーブル３の下面３Ｂに対して隙間を介して平行に配置し、支持板部４０を鉛直方向に支持する矩形板状に形成する。脚部３２〜３５は、台座部３１の四つの角部に設け、下面３Ｂに固定する。それ故、制御ボックス５は支持板部４０と下面３Ｂとの間に隙間を形成でき、煙突通路１０１，１０２を上方に流れた空気を逃がすことができる。
【００５６】
上記実施形態では更に、平面視で台座部３１の長手方向の一端部に脚部３２と脚部３３を備え、その反対側の他端部に脚部３４と脚部３５を備える。更に、脚部３２と脚部３３の間、脚部３４と脚部３５の間に、空気を通過する為の空気用開口部３７，３８を設ける。それ故、制御ボックス５は煙突通路１０１，１０２を上方に流れた空気を、空気用開口部３７，３８からも外側に逃がすことができる。
【００５７】
上記実施形態では更に、脚部３２は、固定部３２１と連結部３２２と補強リブ３２３を備える。固定部３２１はテーブル３の下面３Ｂに沿って固定する板状部位である。連結部３２２は固定部３２１の一端部から下方に屈曲し、台座部３１の端部と連結する板状部位である。補強リブ３２３は固定部３２１と連結部３２２の間に設けたリブである。脚部３２は、固定部３２１と連結部３２２の間に補強リブ３２３を設けたことで強度を向上できる。その他の脚部３３〜３５も同様である。
【００５８】
上記実施形態では更に、煙突通路１０１，１０２の夫々の上端側に位置する上開口部１０１Ｂ，１０２Ｂはテーパ状に拡がる。それ故、制御ボックス５は、上開口部１０１Ｂ，１０２Ｂから排出する空気の流れを滑らかにできる。
【００５９】
上記実施形態では更に、煙突通路１０１，１０２の下端側に位置する下開口部１０１Ａ，１０２Ａはテーパ状に拡がる。それ故、下開口部１０１Ａ，１０２Ａにおいて空気を煙突通路１０１，１０２内に滑らかに取り込むことができる。
【００６０】
本発明は上記実施形態の他に種々の変更が可能である。上記実施形態の制御ボックス５は、布同士を縫製するミシン１の制御ボックスであるが、例えば接着剤を吐出するノズルと、一方のシート（例えば布等）の接着面を、ノズルから吐出した接着剤を介して、他方のシートの上面に重ね合わせて搬送する搬送手段とを備えた接合装置の制御ボックスにも適用可能である。
【００６１】
上記実施形態の制御ボックス５は、二枚の回路基板１１，１２を内側に格納するが、回路基板１１，１２に加え、更に回路基板を追加して備えてもよい。また、放熱板２１，２２に加え、更に放熱板を追加して備えてもよい。
【００６２】
上記実施形態の制御ボックス５は、例えばベース６の支持板部４０の背面側の凹部５２、前面側の凹部５４の夫々の内側面は平面であるが、種々の変更が可能である。例えば図１５に示す如く、ベース６０１の支持板部４０の前面側の凹部５４の内側面に、放熱板２２（図１１参照）側に突出する複数のリブ９１を設けてもよい。例えば上下方向に延びる二つのリブ９１を左右に対向配置し、且つ左右のリブ９１が上方へ向かうに従い互いに近付く方向に傾斜したものを一組として上下方向に並べることができる。煙突通路１０２内にて、下方から流れる空気はリブ９１に衝突しながら上方に流れるので、リブ９１の配置パターンに応じて、煙突通路１０１内を流れる空気の流速分布を調節できる。例えば、発熱素子２２２〜２２４が位置する場所で、空気の流速が速くなるようにリブ９１を配置してもよい。また、凹部５４に設けるリブ９１の位置と個数は限定しない。尚、支持板部４０の背面側の凹部５２の内側面においても同様にリブを設けてもよい。
【００６３】
この他に、例えば図１６に示す如く、ベース６０２の支持板部４０の前面側の凹部５４の内側面の少なくとも一部に複数の凸状部９２を設けてもよい。複数の凸状部９２はエンボス加工で形成してもよい。複数の凸状部９２によって、凹部５４は放熱面積を増加できるので、煙突通路１０１における放熱効果を向上できる。尚、支持板部４０の背面側の凹部５２の内側面においても同様に凸状部を設けてもよい。凸状部９２はエンボス加工以外の方法で設けてもよい。
【００６４】
上記実施形態の制御ボックス５は、ベース６が支持板部４０を備えるが、支持板部４０は備えなくてもよい。例えば図１７に示す如く、ベース６０３は基台部３００と一対の側壁３７１を備える。基台部３００はベース６０３上部にて略水平に延びる部位である。一対の側壁３７１は基台部３００下面の左右両端から鉛直方向に延びる板状部位であり、夫々対向する。
【００６５】
基台部３００は台座部３１０と四本の脚部を備える。台座部３１０は平面視左右方向に長い矩形状の板部である。台座部３１０は上開口部（図示略）を備える。上開口部は矩形状に開口する。四本の脚部は上記実施形態と同一であり、図１７では脚部３２、３４のみ示す。
【００６６】
右側の側壁３７１は、前後方向中央から左側に直交して突出する右側部３７２を備え、左側の側壁３７１は、前後方向中央から右側に直交して突出する左側部３７３を備える。一対の下側壁３７４は、左右の側壁３７１の下端部に沿って設ける。一対の下側壁３７４は、右側部３７２、左側部３７３の下端部に接続する。右側部３７２、左側部３７３の側壁３７１と反対側の端部は、開口部３７５を形成する。
【００６７】
放熱板２１０は、右側部３７２、左側部３７３の背面側にて、開口部３７５を後方から塞ぐ。放熱板２１０は背面視略正方形状で、四つの角部を螺子８１で右側部３７２、左側部３７３の背面側に固定する。放熱板２１０は、形状の他は放熱板２１と略同一なので説明を省略する。図示しない放熱板は、右側部３７２、左側部３７３の前面側にて、開口部３７５を前方から塞ぐ。該放熱板と放熱板２１０は、互いに平行且つ鉛直方向に並び、その間に上下方向に貫通する煙突通路１０３を形成する。煙突通路１０３上端は台座部３１０の上開口部に連通する。図示しないカバーは、ベース６０３に複数の螺子７１２で固定し、回路基板１１と放熱板２１０を覆う。右側部３７２、左側部３７３の前面側も同様である。煙突通路１０３は空気を下方から上方に向けて流す。二枚の放熱板から放出する熱で煙突通路１０３内の空気が上昇すると、煙突効果で流速が増した空気が煙突通路１０３を下方から上方に向けて流れる。煙突通路１０３に対して二枚の放熱板が相対するので、制御ボックス５内の回路基板１１の発熱素子を効果的に冷却できる。煙突通路１０３が上下方向に延びているので、煙突通路１０３内に糸屑、埃等の異物が堆積しない。
【００６８】
上記実施形態の制御ボックス５内に格納する放熱板２１，２２の形状は、図１０，図１１に示す形状に限定しない。また回路基板１１，１２に搭載する回路部の個数及び位置についても、図５，図７に示す例に限定しない。
【００６９】
上記実施形態の制御ボックス５は脚部３２と脚部３３の間、脚部３４と脚部３５の間に、空気用開口部３７，３８を夫々設けるが、空気用開口部３７，３８は省略してもよい。該場合、脚部３２〜３５は四本でなくてもよく、脚部３２と脚部３３、脚部３４と脚部３５は夫々一体化してもよい。脚部３２〜３５の形状は、図８，図９に示す形状に限定しない。
【００７０】
上記実施形態の制御ボックス５は、台座部３１に設けた上開口部１０１Ｂの前後両側に一対のテーパ部３６１を設けているが、両側ではなく一方にのみ設けてもよい。また一対のテーパ部３６１は省略してもよい。上開口部１０２Ｂに設ける一対のテーパ部３６２においても同様に、前後両側ではなく一方にのみ設けてもよく、省略してもよい。
【００７１】
上記実施形態の制御ボックス５は、テーブル３の下面３Ｂにて後端部３１１側に寄せて固定するが、下面３Ｂであれば何処でもよい。但し、上開口部１０１Ｂ，１０２Ｂから流れる空気を速やかに外側に逃がすには、テーブル３の端部に寄せて固定するのがよい。
【符号の説明】
【００７２】
２        ミシン本体
３        テーブル
３Ｂ      下面
５        制御ボックス
６        ベース
７        第一カバー
８        第二カバー
１１，１２  回路基板
２１，２２  放熱板
３０        基台部
３１        台座部
３２〜３４  脚部
３７，３８  空気用開口部
４０        支持板部
４１        段差部
５１，５５  凸部
５２，５４  凹部
９１        リブ
９２        凸状部
１０１，１０２，１０３      煙突通路
１０１Ａ，１０２Ａ  下開口部
１０１Ｂ，１０２Ｂ  上開口部
１１１〜１１３  回路部
１２１〜１２３  回路部
２１０        放熱板
２１１〜２２４  発熱素子
３２１        固定部
３２２        連結部
３２３        補強リブ
６０１，６０２，６０３  ベース
【図１】
2016158704.tif 000003
【図２】
2016158704.tif 000004
【図３】
2016158704.tif 000005
【図４】
2016158704.tif 000006
【図５】
2016158704.tif 000007
【図６】
2016158704.tif 000008
【図７】
2016158704.tif 000009
【図８】
2016158704.tif 000010
【図９】
2016158704.tif 000011
【図１０】
2016158704.tif 000012
【図１１】
2016158704.tif 000013
【図１２】
2016158704.tif 000014
【図１３】
2016158704.tif 000015
【図１４】
2016158704.tif 000016
【図１５】
2016158704.tif 000017
【図１６】
2016158704.tif 000018
【図１７】
2016158704.tif 000019